(57)【特許請求の範囲】
【請求項１】
少なくとも１つの制御可能な照明設備を制御する照明システム制御装置であって、前記照明システム制御装置は、
ユーザーによって実行されるべき少なくとも１つのタスクを定義するタスク定義器と、
前記照明システム制御装置から物理的に分離した少なくとも１つの装置から受信されたデータと、前記タスク定義器により提供された定義との比較に基づいて、前記少なくとも１つのタスクの状態を判定する状態判定器であって、前記少なくとも１つの装置は、ユーザーにより相互作用される物体の状態を判定する、状態判定器と、
受信された照明システム信号入力に基づいて、少なくとも１つの照明システム信号を生成する制御信号生成器と、
前記少なくとも１つのタスクが履行されたことを前記状態判定器が示すことに基づいて、前記少なくとも１つの制御可能な照明設備に前記少なくとも１つの照明システム信号を出力する制御信号制御装置と、
を備える、照明システム制御装置。
【請求項２】
前記タスク定義器は、実行されるべき前記少なくとも１つのタスクに対するタスク順序を定義し、前記制御信号制御装置は、前記少なくとも１つのタスクが定義された前記タスク順序で実行されたことを前記状態判定器が示すことに基づいて、前記少なくとも１つの制御可能な照明設備に前記少なくとも１つの照明システム信号を出力する、請求項１に記載の照明システム制御装置。
【請求項３】
前記照明システム制御装置から物理的に分離した前記少なくとも１つの装置から前記データを受信する無線受信器を
さらに備える、請求項１又は２に記載の照明システム制御装置。
【請求項４】
前記少なくとも１つの制御可能な照明設備に前記少なくとも１つの照明システム信号を送信する無線送信器を
さらに備える、請求項１乃至３の何れか一項に記載の照明システム制御装置。
【請求項５】
前記タスク定義器は、物理的に分離した装置から、実行されるべき前記少なくとも１つのタスクを受信する、請求項１乃至４の何れか一項に記載の照明システム制御装置。
【請求項６】
前記照明システム制御装置から物理的に分離した前記少なくとも１つの装置から受信された前記データを分析して、少なくとも１つのタスクに関係したデータのパターンを判定することと、
前記少なくとも１つのタスクに関係したデータの判定された前記パターンを含む前記少なくとも１つのタスクに対する定義を判定することとを行う
タスク記録器をさらに備える、請求項１乃至５の何れか一項に記載の照明システム制御装置。
【請求項７】
前記タスク状態判定器からの状態出力データを分析して、前記少なくとも１つのタスクの実行分析を判定するタスク分析装置をさらに備える、請求項１乃至６の何れか一項に記載の照明システム制御装置。
【請求項８】
請求項１乃至７の何れか一項に記載の照明システム制御装置と、
前記照明システム制御装置と通信する前記少なくとも１つの制御可能な照明設備と、
前記照明システム制御装置と通信する前記少なくとも１つの装置とを備え、前記少なくとも１つの装置が、検出器データを生成するための少なくとも１つの検出器
を備える、照明システム。
【請求項９】
１つ又は複数のコンピュータ可読記憶媒体上に具現化されたコードを含む、及び／又は、１つ又は複数のコンピュータ可読記憶媒体からダウンロード可能な、コンピュータプログラムであって、照明システム制御装置において実行されると、
ユーザーによって実行されるべき少なくとも１つのタスクを定義し、
前記照明システム制御装置から物理的に分離した少なくとも１つの装置であって、ユーザーにより相互作用される物体の状態を判定する少なくとも１つの装置から受信されたデータと、前記少なくとも１つのタスクの定義との比較に基づいて、前記少なくとも１つのタスクの状態を判定し、
照明システム信号入力を受信し、
受信された前記照明システム信号入力に基づいて、少なくとも１つの照明システム信号を生成し、
判定された前記状態が前記少なくとも１つのタスクが履行されたことを示すことに基づいて、少なくとも１つの制御可能な照明設備への、前記少なくとも１つのタスクに関係した前記少なくとも１つの照明システム信号の出力を制御する、
コンピュータプログラム。
【請求項１０】
ユーザーにより実行されるべき少なくとも１つのタスクを定義することと、
照明システム制御装置から物理的に分離した少なくとも１つの装置であって、ユーザーにより相互作用される物体の状態を判定する少なくとも１つの装置から受信されたデータと、前記少なくとも１つのタスクの定義との比較に基づいて、前記少なくとも１つのタスクの状態を判定することと、
照明システム信号入力を受信することと、
受信された前記照明システム信号入力に基づいて、少なくとも１つの照明システム信号を生成することと、
判定された前記状態が前記少なくとも１つのタスクが履行されたことを示すことに基づいて、少なくとも１つの制御可能な照明設備への、前記少なくとも１つのタスクに関係した前記少なくとも１つの照明システム信号の出力を制御することと、
を含む、制御可能な照明設備を制御する方法。
【請求項１１】
実行されるべき前記少なくとも１つのタスクを定義することは、実行されるべき前記少なくとも１つのタスクの順序を定義することを含み、前記少なくとも１つの制御可能な照明設備への前記少なくとも１つの照明システム信号の出力を制御することは、前記少なくとも１つのタスクが定義された前記順序で実行されたことを示す状態に基づいて、前記少なくとも１つの照明システム信号の出力を制御することを含む、請求項１０に記載の方法。
【請求項１２】
前記少なくとも１つの制御可能な照明設備に少なくとも１つの照明効果制御信号を送信することをさらに含む、請求項１０又は１１に記載の方法。
【発明の詳細な説明】
【技術分野】
【０００１】
本開示は、ユーザーによるタスクの実施に基づいて、照明システム内の照明設備を制御するための照明システム制御装置及び方法に関する。特に、本開示は、照明システムのユーザーにより実行される監視タスクに基づいて、照明システム内の照明設備を制御するための照明システム制御装置及び方法に関する。
【背景技術】
【０００２】
現代の照明設備は、発光素子（例えば、ＬＥＤ列）を駆動するために必要な構成要素だけでなく、重要な別の機能を組み込むことが可能であり、例えばネットワーク接続機能をもつ。
【０００３】
さらに、現代の照明設備は、ネットワーク接続された照明システム制御装置を使用して制御されて、様々な照明効果を生み出し得る。典型的には、照明システム制御装置は、物理的スイッチ、又は、照明アプリケーション内のユーザーインターフェース要素などとして実装されたソフトウェア定義スイッチなどから照明入力を受信し得る。次に、照明システム制御装置は、照明入力に基づいて、適切な制御信号を生成し得る。次に、これらの制御信号は、ネットワークを介して照明システム照明設備に伝達される。
【０００４】
以前から、装置の状態、及び、装置が適正に使用されているか否かを示すために、インジケータ又はパネル発光体として実現された照明が使用されてきた。
【０００５】
例えば、米国特許出願公開第２００８／０１４１４７８号は、推奨されるブラッシング手順を示すように順次照射され得る、点灯区域構成として配置されたＬＥＤ光源を備える歯ブラシを記載する。この手順は、ブラッシング規則及びタスク／ルーチンの手順により表されることが可能である。
【０００６】
現代の世界は、これらのような規則及びタスクにより支配されている。これらの規則及びタスクは、歯をブラッシングするための規則と同程度に単純であり得る。他のタスク又は規則は、専門的な教授、並びに、長時間の練習及び学習の反復を必要とする。しかし、このようなタスクを学習することにより、それらは、ユーザーが情報を照合するのを手助けし、ユーザーの認知的負荷を減らす。例えば、不慣れな乗り物に乗ったユーザーの場合、乗り物を運転することに関係したタスク又は規則は、運転者の気をそらせて、乗り物が運転されている環境に十分に注意を払えなくなる可能性がある。従って、タスクは、乗り物を始動すること（乗り物は、エンジンを始動する前に、変速機がニュートラルに配置されること、又はクラッチが係合することを要求する）、ギアを選択又は変更すること（「新しい」ギアを選択する前にクラッチが係合される必要があり、変速機はダブルクラッチ解除を要求する）、及び、出発すること（乗り物は、ドライブに十分に係合する前／クラッチを係合解除する前にハンドブレーキが解放されることを要求し、乗り物は、電子又は自動ハンドブレーキを含む）を含み得る。これらのタスク及び他のタスクが学習されると、それらのタスクは、ユーザーが大きな精神的ストレスを感じずに複雑なタスク（乗り物を運転することなど）を実行することを可能にする。
【０００７】
さらにいくつかのルーチンは、誤りに対する余裕がほとんどなく実行される必要のあるタスクの設定又はリストを含み得る。多くの場合、このようなルーチンは、ユーザーがルーチンの進捗を記録できるように、チェックリスト又はタスクの状態をログに記録するためのデータベースシステムを必要とする。このようなルーチンの一例は、制御室などの安全を重視すべき環境における機械の動作であり得る。
【０００８】
さらに、タスク又はルーチンの実行の頻度は変化し得る。こうした非常に頻繁に実行されるタスクは、非常に頻繁に使用されるという理由で急速に学習され得る。しかし、より少ない頻度で要求及び実行されるタスクは、それ故に忘れられ、見逃されることがより多くなる。
【０００９】
これらのタスク又はルーチンを学習又は記憶することは、リスト又はチェックリストを生成してそれに従うことにより補助され得ることがある。
【００１０】
多くの場合、これらは紙ベースの、タスク又はルーチンのリスト又はチェックリストの形態である。しかし、これらの紙ベースのリストは、紛失したり、物に隠されたり、破損し得るか、又は、タスク若しくはルーチンが変更されたときに更新されない場合があり得る。タブレットコンピュータなどのスマート装置に記憶され得るデジタル形態のリスト又はチェックリストは、音声又は視覚フィードバックを搭載することが可能であるが、同様に紛失したり、又はバッグやポケットに入れたまま忘れられ得る。さらに、ユーザーによっては、デジタル形態のリストを含む「別の電子装置」を持ち運ぶ必要性を不快に感じ得るか、又は、デジタル形態のリストは、使用するのが過度に複雑で不便なため事実上使い物にならないと感じ得る。
【発明の概要】
【発明が解決しようとする課題】
【００１１】
以下、制御可能な照明設備を介して適切な光ベースのフィードバックを提供することにより、ユーザーがタスクを実行及び／又は記憶するのを手助けすることに適した制御可能な照明システムを提供するための技術を提供する。
【課題を解決するための手段】
【００１２】
これは、照明制御装置において受信されて検出器により生成される信号のネットワークに関連した、タスクのルーチン、手順、又はリストを定義するのに役立つ、制御可能な照明システム内の照明システム制御装置を使用した原理に基づく。例えば、照明システム制御装置は、特定の手順のタスクが観測された場合に限り、特定の照明環境のための制御信号を有効化又は出力するように構成され得る。
【００１３】
用途に応じて、特定の手順若しくは順序でタスクが履行されたときに照明環境が生成され得るか、又は、いずれかの順序でタスクが履行されたとき照明環境が生成され得る。
【００１４】
本明細書において開示される一態様によると、少なくとも１つの制御可能な照明設備を制御するように構成された照明システム制御装置が提供され、照明システム制御装置が、実行されるべき少なくとも１つのタスクを定義するように構成されたタスク定義器と、照明システム制御装置から物理的に分離した少なくとも１つの装置から受信された検出器データに基づいて、少なくとも１つのタスクの状態を判定するように構成された状態判定器と、状態判定器に基づいて、少なくとも１つの制御可能な照明設備に少なくとも１つの照明システム信号を出力するように構成された制御信号制御装置と、を備える。
【００１５】
照明システム制御装置は、受信された照明システム信号入力に基づいて（又は、これに従って）、少なくとも１つの照明システム信号を生成するように構成された制御信号生成器をさらに備え、制御信号制御装置が、少なくとも１つのタスクが履行されたことを状態判定器が示すことに基づいて（又は、この状況において）、少なくとも１つの制御可能な照明設備に少なくとも１つの照明システム信号を出力するように構成され得る。
【００１６】
タスク定義器は、実行されるべき少なくとも１つのタスクに対するタスク順序を定義するようにさらに構成され得、制御信号制御装置は、少なくとも１つのタスクが定義された順序で実行されたことを状態判定器が示すことに基づいて（又は、この状況において）、少なくとも１つの制御可能な照明設備に少なくとも１つの照明システム信号を出力するように構成される。
【００１７】
照明システム制御装置は、照明システム制御装置から物理的に分離した少なくとも１つの装置から検出器データを受信するように構成された無線受信器をさらに備え得る。
【００１８】
照明システム制御装置は、少なくとも１つの制御可能な照明設備に少なくとも１つの照明システム信号を送信するように構成された無線送信器をさらに備え得る。
【００１９】
タスク定義器は、物理的に分離した装置から、実行されるべき少なくとも１つのタスクを受信するように構成され得る。
【００２０】
照明システム制御装置は、照明システム制御装置から物理的に分離した少なくとも１つの装置から受信された検出器データを分析して、少なくとも１つのタスクに関係した検出器データのパターンを判定することと、少なくとも１つのタスクに関係した検出器データの判定されたパターンを含む少なくとも１つのタスクに対する定義を判定することとを行うように構成されたタスク記録器をさらに備え得る。
【００２１】
照明システム制御装置は、タスク状態判定器からの状態出力データを分析して、少なくとも１つのタスクの実行分析を判定するように構成されたタスク分析装置をさらに備え得る。
【００２２】
照明システムは、本明細書で説明される照明システム制御装置と、照明システム制御装置と通信する少なくとも１つの制御可能な照明設備と、照明システム制御装置と通信する少なくとも１つの装置とを備え得、少なくとも１つの装置が、検出器データを生成するための少なくとも１つの検出器を備える。
【００２３】
第２の態様によると、１つ又は複数のコンピュータ可読記憶媒体上に具現化されたコードを含む、及び／又は、１つ又は複数のコンピュータ可読記憶媒体からダウンロード可能なコンピュータプログラム製品であって、照明システム制御装置において実行されると、実行されるべき少なくとも１つのタスクを定義し、照明システム制御装置から物理的に分離した少なくとも１つの装置から受信された検出器データに基づいて、少なくとも１つのタスクの状態を判定し、照明システム信号入力を受信し、受信された照明システム信号入力に基づいて（又は、これに従って）、少なくとも１つの照明システム信号を生成し、判定された状態が少なくとも１つのタスクが履行されたことを示すことに基づいて（又は、この状況において）、少なくとも１つの制御可能な照明設備への、少なくとも１つのタスクに関係した少なくとも１つの照明システム信号の出力を制御するように構成されたコンピュータプログラム製品が提供される。
【００２４】
第３の態様によると、実行されるべき少なくとも１つのタスクを定義することと、照明システム制御装置から物理的に分離した少なくとも１つの装置から受信された検出器データに基づいて、少なくとも１つのタスクの状態を判定することと、照明システム信号入力を受信することと、受信された照明システム信号入力に基づいて（又は、これに従って）、少なくとも１つの照明システム信号を生成することと、判定された状態が少なくとも１つのタスクが履行されたことを示すことに基づいて（又は、この状況において）、少なくとも１つの制御可能な照明設備への、少なくとも１つのタスクに関係した少なくとも１つの照明システム信号の出力を制御することと、を含む、制御可能な照明設備を制御する方法が提供される。
【００２５】
方法は、照明システム信号入力を受信することと、照明システム信号入力に基づいて、少なくとも１つの照明システム信号を生成することとを含み、少なくとも１つの制御可能な照明設備への少なくとも１つの照明システム信号の出力を制御することは、少なくとも１つのタスクが履行されたことを示す状態に基づいて、少なくとも１つの制御可能な照明設備への少なくとも１つの照明システム信号の出力を制御することを含み得る。
【００２６】
実行されるべき少なくとも１つのタスクを定義することは、実行されるべき少なくとも１つのタスクの順序を定義することを含み得、少なくとも１つの制御可能な照明設備への少なくとも１つの照明システム信号の出力を制御することは、少なくとも１つのタスクが定義された順序で実行されたことを示す状態に基づいて、少なくとも１つの照明システム信号の出力を制御することを含み得る。
【００２７】
方法は、照明システム制御装置から物理的に分離した少なくとも１つの装置から検出器データを受信することをさらに含み得る。
【００２８】
方法は、少なくとも１つの制御可能な照明設備に少なくとも１つの照明効果制御信号を送信することをさらに含み得る。
【００２９】
本開示の理解を助けるため、及び、実施形態がどのように効果を奏し得るかを示すために、例示として添付図面を参照する。
【図面の簡単な説明】
【００３０】
【図１】いくつかの実施形態を実現するのに適した照明システムを含む環境の概略図である。
【図２】いくつかの実施形態による、例えば図１に示される照明システム制御装置の概略ブロック図である。
【図３】いくつかの実施形態による、タスク監視に基づく照明システム制御方法の概要のフロー図を示す図である。
【図４】いくつかの実施形態による、図３に示される照明システム制御方法のためのタスク定義方法のフロー図をさらに詳細に示す図である。
【図５】いくつかの実施形態による、図３に示される照明システム制御方法のフロー図をさらに詳細に示す図である。
【図６】いくつかの実施形態による、図３に示される照明システム制御方法のためのタスク分析方法のフロー図を示す図である。
【図７】いくつかの実施形態による、図３に示される別の照明システム制御方法のフロー図をさらに詳細に示す図である。
【発明を実施するための形態】
【００３１】
本発明は、ユーザーがタスクのルーチン、手順、又はリストを実行する又は思い出すのを助けるように照明を使用する。これは、特定の手順の事象が発生した場合に限り、（他の場合には利用可能ではない）定義された照明環境又は特定の照明環境が有効化されるように実施され得る。
【００３２】
図１を参照すると、タスクを監視し、タスクの監視に基づいて照明システムを制御することに適した例示的な照明システム制御装置１１が示される。プロセッサ又はＣＰＵ１３と、メモリ１５と、ユーザーインターフェース１７と、送受信器１９とを備える照明システム制御装置１１が示される。照明システム制御装置１１は、照明システム４１に無線結合されて示され、更にまた、少なくとも１つのタスク監視検出器２１と、少なくとも１つの監視システムと、少なくとも１つのネットワーク４１とに無線結合されて示される。
【００３３】
プロセッサ１３は、いくつかの実施形態において、様々なプログラムコードを実行するように構成され得る。実装されたプログラムコードは、いくつかの実施形態において、本明細書で説明されるタスク監視及び照明システム制御コードを含む。実装されたプログラムコードは、いくつかの実施形態において、必要に応じたプロセッサ１３による取得のために、例えばメモリ１５に記憶され得る。メモリ１５は、例えば、本明細書で説明されるアプリケーションに従って、検出器又は照明システム制御信号データといった、データを記憶する部分をさらに提供し得る。
【００３４】
実施形態におけるタスク定義、タスク監視、及び照明システム制御コードは、少なくとも部分的に、ハードウェア及び／又はファームウェアにおいて実装され得る。
【００３５】
ユーザーインターフェース（ＵＩ）１５は、例えば、ユーザーがキー操作部を介して照明システム制御装置１１に対する指令を入力すること、及び／又は、ユーザーが例えば、表示装置を介して照明システム制御装置１１から情報を取得することを可能にする。いくつかの実施形態において、タッチスクリーンは、ユーザーインターフェースのための入力機能と出力機能との両方を提供し得る。
【００３６】
照明システム制御装置１１は、いくつかの実施形態において、例えば、無線通信ネットワークを介して他の装置との通信を可能にすることに適した送受信器（ＴＸ／ＲＸ）１９を備える。送受信器１９は、いずれかの適切な知られた通信プロトコルにより他の装置と通信し得、例えば、いくつかの実施形態において、送受信器１９又は送受信器手段は、適切なユニバーサル移動体通信システム（ＵＭＴＳ）プロトコル、例えば、ＩＥＥＥ  ８０２．Ｘなどの無線ローカルエリアネットワーク（ＷＬＡＮ）プロトコル、Ｂｌｕｅｔｏｏｔｈ（登録商標）、ＺｉｇＢｅｅ（登録商標）、又は赤外線データ通信経路（ＩＲＤＡ）などの適切な短距離無線周波数通信プロトコルを使用し得る。
【００３７】
この場合も、照明システム制御装置１１の構造は、多くの点で補完及び変更され得ることが理解される。
【００３８】
照明システム４１は、あらゆる適切な制御可能な照明システムであり得る。図１に示される例において、照明システム４１は、多くの制御可能な照明設備４３１及び４３ｎを備える。照明設備は、いずれかの適切な制御可能な光生成技術を使用して実現され得る。いくつかの実施形態において、照明設備の各々は、例えば、照明システム制御装置１１から制御信号を受信し、制御信号を処理して、所望の照明効果又は照明環境を生成するように構成された制御装置を備え得る。いくつかの実施形態において、各照明設備４３は、個々にアドレス指定及び制御され得る。さらに、いくつかの実施形態において、各照明設備は、それぞれ異なる、個々に制御可能なカラー光源を備え、従って、所望のカラー照明効果又は照明環境を生成するように制御可能である。
【００３９】
照明システム制御装置１１は、図１では検出器２１に無線結合されているものと示される。照明システム制御装置１１は、いくつかの実施形態において、２つ以上の検出器２１又は検出器として動作する装置に結合され得ることが理解される。検出器２１は、いくつかの実施形態において、照明システム制御装置１１から物理的に分離しているか、又は分離可能であり得る。検出器２１又は装置は、いくつかの実施形態において、少なくとも１つの検出器エンティティ又は検出器２３の配列を備える。さらに、検出器２１又は装置は、照明システム制御装置１１に検出器データの形態で、検出器２３の配列の検出器エンティティの出力を送信するように構成された送受信器２９（又は、１方向通信のみが要求される場合は送信器）を備え得る。
【００４０】
検出器２１又は装置は、単一の検出器を備える装置として示されるが、いくつかの実施形態において、検出器２１は、検出器のシステムを備えるか、又は、利用し得る。例えば、検出器２１は、照明システム４１内に組み込まれた検出器エンティティを表し得る。
【００４１】
検出器２１及び検出器エンティティ又は検出器２３の配列は、ユーザー、又は検出範囲内のユーザーにより相互作用される物体の状態を判定するための、いずれかの適切な種類の検出器及び／又は技術であり得る。例えば、検出器エンティティ２３は、家庭用装置が有効であるか否かを判定する家庭用装置監視システムであり得る。例えば、領域内の照明がスイッチオンされているかスイッチオフされているか、オーブンがスイッチオンされているかスイッチオフされているか、暖房の火がオンであるかオフであるか、テレビがオンであるかオフであるかが挙げられる。さらに、検出器２１は、監視される装置の１つに組み込まれ得る。
【００４２】
照明システム制御装置１１は、スマート装置又はコンピューティング装置３１にさらに結合され得る。スマート装置又はコンピューティング装置３１は、照明システム制御装置１１と無線で通信し得る。スマート装置３１は、いくつかの実施形態において、プロセッサ（又は、ＣＰＵ）３３と、メモリ３５と、ユーザーインターフェース３７と、送受信器（又は、送信器）３９とを備え得る。プロセッサ３３は、いくつかの実施形態において、様々なプログラムコードを実行するように構成され得る。実装されたプログラムコードは、いくつかの実施形態において、本明細書で説明されるタスク生成及び分析出力コードを含む。実装されたプログラムコードは、いくつかの実施形態において、必要に応じたプロセッサ３３による取得のため、例えば、メモリ３５に記憶され得る。メモリ３５は、本明細書で説明されるアプリケーションに従って、例えば、検出器又は照明システム制御信号データといったデータを記憶する部分をさらに提供し得る。
【００４３】
ユーザーインターフェース（ＵＩ）３５は、ユーザーが例えばキー操作部を介してスマート装置３１に指令を入力すること、及び／又は、ユーザーが例えば表示装置を介してスマート装置３１から情報を取得することを可能にする。いくつかの実施形態において、タッチスクリーンは、ユーザーインターフェースのための入力機能と出力機能との両方を提供し得る。
【００４４】
スマート装置は、いくつかの実施形態において、例えば、無線通信ネットワークを介して他の装置との通信を可能にすることに適した送受信器（ＴＸ／ＲＸ）１９を備える。送受信器１９は、いずれかの適切な知られた通信プロトコルにより他の装置と通信し得、例えば、いくつかの実施形態において、送受信器１９又は送受信器手段は、適切なユニバーサル移動体通信システム（ＵＭＴＳ）プロトコル、例えば、ＩＥＥＥ  ８０２．Ｘなどの無線ローカルエリアネットワーク（ＷＬＡＮ）プロトコル、Ｂｌｕｅｔｏｏｔｈ（登録商標）、ＺｉｇＢｅｅ（登録商標）、又は赤外線データ通信経路（ＩＲＤＡ）などの適切な短距離無線周波数通信プロトコルを使用し得る。
【００４５】
スマート装置３１は、いくつかの実施形態において、検出装置を備えるか、又は検出装置として機能し得る。例えば、スマート装置３１は、監視されるユーザーにより装着又は保持され得、ユーザーの位置情報及び他の動き情報を提供する手法で機能する。例えば、ユーザーが座っているか、立っているか、又は横たわっているかである。
【００４６】
さらに、いくつかの実施形態において、スマート装置３１は、監視されるタスクのリストの定義を補助するか、又は、何らかの未処理のタスクが存在するか否かと、実行されるべき「次の」タスクが存在するか否かに関する情報を受信するように構成され得る。従って、例えば、スマート装置３１は、タスク定義（スマート装置３１又はスマート装置のユーザーに結合される場合も、又は結合されない場合もある）を記憶し、照明システム制御装置１１にこれらのタスク定義を供給するように構成され得る。いくつかの実施形態において、さらに、スマート装置３１は、適切な照明システム入力を提供するために使用され得る。言い換えると、所望の照明出力の指示を照明システム制御装置に提供するためである。例えば、スマート装置３１は、照明制御アプリケーションを実装し得、照明制御装置に表示される所望の照明環境を示すように構成され得る。
【００４７】
照明システム制御装置は、例えば、図１に示されるようにネットワーク（インターネット）５１との通信により、他の装置及び／又はネットワークにさらに接続又は結合され得る。これらの他の装置／ネットワークは、タスクの実行を監視するために必要とされる別の情報を提供し得る。
【００４８】
図２を参照して、照明システム制御装置１１のいくつかの実施形態において組み込まれた機能エンティティのいくつかがさらに詳細に示される。いくつかの実施形態において、照明システム制御装置は、タスク定義器１０１を備える。
【００４９】
タスク定義器１０１は、いくつかの実施形態において、１つ又は複数のタスク入力を受信するように構成され得る。タスク入力は、例えば、タスクが記録、捕捉、又は定義される予定であることを示すために使用され得る。タスク入力は、いくつかの実施形態において、タスク定義の伝達をトリガーするための入力であり得るか、又は、タスク状態判定器１０３と同様であり得る。例えば、タスク入力は、タスク状態判定器１０３に伝達されるべきタスクの「シフトの終わり」手順を開始する時間ベースのトリガー入力であり得る。いくつかの他の実施形態において、タスク入力は、実行されるべきタスクの手順の監視を開始するユーザー入力であり得る。
【００５０】
本明細書で説明されるユーザーによるタスクの有効化に加えて、他の入力は、自動化されたタスク監視、時間ベースのタスク、又は周辺環境におけるトリガーを介した他の有効化であるタスクリストにも関係し得る。
【００５１】
いくつかの実施形態において、タスクリスト内の定義は、特定の人又はシステムのユーザーと関連付けられ得る。例えば、タスクリストは、家族内の子供、又は、特定の従業員及び従業員の役職と関連付けられ得る。ユーザーに関係した個人用装置が使用される場合、ユーザーが誰であるかが直接に発見又は判定され得るか、又は、共有された装置の場合、装着型装置などの個人用装置と共有された装置との間の近さに基づいて識別情報が判定され得る。
【００５２】
いくつかの実施形態において、タスク定義、及び従ってタスクリストは、ユーザーの位置に依存する。このような実施形態において、若い家族が休暇中であるとき、又は祖父母を訪問しているときなど、定義とタスクリストとが他の位置に伝達可能である必要があり得る。このような実施形態において照明システム制御装置は、追跡され得るスマート装置の自動検索を可能にするように構成され得る。
【００５３】
タスク定義器１０１は、少なくとも１つのタスクを定義するか、又は、照明システムの制御機能に少なくとも１つのタスクを関連付けるように構成され得る。タスク定義器１０１により定義された関連付けは、いくつかの実施形態において、タスク状態判定器１０３に伝達され得る。
【００５４】
いくつかの実施形態において、照明システム制御装置は、タスク状態判定器１０３を備える。タスク状態判定器１０３は、タスク定義器１０１から、定義されたタスク又はタスクリストを受信するように構成され、さらに、外部源から検出器データ又は他のデータを受信するように構成され得る。家庭内の検出器ネットワークも、タスク及びそれらの例示的な履行又は未履行の識別に寄与し得るので、検出器データは、いくつかの実施形態において、接続されたシステムからのものであり得る。
【００５５】
検出器情報は、例えば、カメラ映像、存在検出器、磁気的な扉／窓検出器などの検出器からのものであり得る。さらに検出器データは、処理された検出器データをさらに含み得る。例えば、データは、カメラ映像分析又は音声処理から受信され得る。他のデータは、インターネット又はスマート装置ベースの入力からのデータをさらに含み得る。例えば、データは、位置情報（ジオフェンシング）、位置データ、通話データ（通話記録）、カレンダー又は議題項目、プログラム又はアプリケーション情報（開かれた又は閉じられたアプリ）であり得る。
【００５６】
タスク状態判定器１０３は、いくつかの実施形態において、検出器データ及び／又は他のデータをタスク定義器１０１により提供された定義と比較して、タスクの現在の状態を判定するように構成され得る。従って、タスク状態判定器１０３は、タスクが実行されたか否かを判定するように構成され得る。さらに、タスク状態判定器１０３は、適正な順序でタスクが実行されたか否かを判定するように構成され得る。タスクの状態の判定は、例えば、検出器データ入力をタスクに関係した、既知の、又は記録された検出器データと比較することにより実行され得る。さらに、タスク状態判定器１０３は、判定された状態を照明システム信号制御装置１０７又は照明システム信号生成器１０５に出力するように構成され得る。
【００５７】
いくつかの実施形態において、照明システム制御装置１１は、照明システム信号生成器１０５を備え得る。照明システム信号生成器１０５は、適切な照明システム信号入力を受信するように構成され得る。照明システム信号入力は、例えば、照明システム制御装置に無線で（又は、別の方式で）送信された物理的スイッチからの信号であり得る。しかし、照明システム信号入力は、スマート装置又は他の適切なコンピューティング装置により生成された（及び、適切な照明アプリケーションを実施又は実行する）、及び、照明システム制御装置１１に入力を送信するソフトウェア定義スイッチ又は制御入力であり得る。照明システム信号生成器１０５は、照明システム４１に出力するための適切な照明信号又は照明制御信号を決定又は生成するように構成され得る。照明信号は、スイッチ又はソフトウェア定義スイッチ又は制御を操作するとき、及び、タスクが履行されたときに、ユーザーにより所望される適切な照明効果を生成するように構成された信号であり得る。生成される他の照明信号は、スイッチが操作されたとき、及び、タスクが履行されていないとき、警告照明効果を生成するように構成された信号であり得る。照明信号は、いくつかの実施形態において、照明システム制御装置１１のメモリから取得され得るか、又は、別の装置から受信され得る。いくつかの実施形態において、照明システム信号生成器１０５は、タスク状態判定器１０３から現在の状態又は動作状態を受信して、照明システム信号を生成するためにその情報を使用するように構成され得る。例えば、「オフィス閉鎖」の例を使用すると、照明システム信号入力からの照明オフスイッチ信号を受信し、「警報器稼働中」であるが「窓ｘが開いている」という現在のタスク状態を受信した照明システム信号生成器１０５は、開いている窓に最も近いものを除くすべての照明をスイッチングする照明効果信号を生成するように構成され得る。照明システム信号生成器１０５は、適切な照明システム信号制御装置１０７にこの信号を出力するようにさらに構成され得る。
【００５８】
照明システム制御装置１１は、いくつかの実施形態において、照明システム信号制御装置１０７を備える。照明システム信号制御装置１０７は、照明システム信号生成器１０５とタスク状態判定器１０３との出力を受信するように構成され得る。照明システム信号制御装置１０７は、タスク状態判定器１０３の出力に基づいて、照明システムに照明システム信号を出力するようにさらに構成され得る。従って、例えば、タスクが履行された、又は適正な順序で履行されたとタスク状態判定器１０３が判定したとき、照明システム信号制御装置１０７は、所望の照明効果を生成するように照明システムを有効化する照明システム信号を出力するように構成され得る。さらに、タスクが履行されていない、又は、適正な順序で履行されていないとタスク状態判定器１０３が判定したとき、照明システム信号制御装置１０７は、「未履行」又は「エラー」効果を生成するように照明システムを有効化する照明システム信号を出力するように構成され得る。
【００５９】
本明細書で説明される動作に対応するために、いくつかの実施形態において、照明システム制御装置１１は、学習モジュール１０９をさらに備え得る。学習モジュール１０９は、検出器データ及び／又は他のデータ並びにタスク入力（又は、タスク手順定義値）を受信するように、及び、定義されて学習されたタスク又はタスクの手順を学習又は生成するように構成され得、これにより、タスク識別情報が検出器データ／他のデータに関連付けられる。従って、未来の時点にタスクが思い出されたときに、タスク状態判定器１０３が、タスクが履行されたか否かを判定するために、比較対象となる検出器データ及び／又は他のデータを備えているように、学習モジュールは、学習したタスクの関連付けをタスク定義器１０１に伝達するように構成され得る。いくつかの実施形態において、学習モジュール１０９は、既存の活動を自動的に「最適化」又は「更新」するためにも使用され得る。従って、例えば、タスク手順における検出された変化が存在する場合はいつでも、学習モジュールが自動的に、且つ、明示的なユーザーによりトリガーされた更新なしに、定義を変更するように構成される。
【００６０】
さらに、いくつかの実施形態において、照明システム制御装置１１は、タスク分析装置１１１を備え得る。タスク分析装置１１１は、タスク状態判定器１０３から出力を受信し、状態判定器の出力を既知のパターンの挙動と比較して、タスクに対する挙動に変化が存在するか否かを判定する、及び／又は、タスクの分析に基づいて、報告を生成及び出力するように構成され得る。例えば、タスク分析装置１１１は、タスクの手順内のタスクが正確に実行されているか否かを判定して、報告を生成するように構成され得る。報告は、例えば、後の時点で取得され得る実行されたタスクのログとして、例えば、記憶され得る。報告は、タスクが履行されたか否か、及び、タスクの実行が許容可能であるか否かを判定するために、管理者又は他の監督者にさらに伝達又は転送され得る。
【００６１】
図３を参照すると、いくつかの実施形態によるタスク監視に基づく照明システム制御方法の概要が示される。照明システム制御方法は、さらに、いくつかの実施形態において、図２に示される機能構成要素内に組み込まれ得る。
【００６２】
いくつかの実施形態において、照明システム制御装置、及びタスク定義器／タスク学習器は、監視されるべき少なくとも１つのタスクに対する定義を取得又は生成するように構成され得る。少なくとも１つのタスクは、いくつかの実施形態において、タスクのリストを含む。タスクのリストは、順序のないタスクのリストであり得る。このような実施形態において、タスクは、いずれの順序で実行されたときにも履行されるように定義される。タスクのリストは、さらに、順序付けられた又は部分的に順序付けられたタスクのリストであり得る。言い換えるとタスク（又は、タスクのサブグループ）は、定義された順序で実行された場合に限り、履行されるように定義される。
【００６３】
いくつかの実施形態において、少なくとも１つのタスクを定義する動作は、少なくとも１つの検出器信号及び／又は少なくとも１つの装置信号及び／又は少なくとも１つの他の信号をタスクに関連付ける又は割り当てることをさらに含む。この割り当て動作は、タスク状態判定器が少なくとも１つのタスクが実行されたか否かを判定することを可能にするように実行され得る。
【００６４】
さらに、いくつかの実施形態において、少なくとも１つのタスクを定義する動作は、少なくとも１つの照明システム出力を、タスクと、さらには少なくとも１つのタスクの状態とに関連付けることをさらに含む。例えば、いくつかの実施形態において、すべての照明をスイッチオフする第１の照明システム出力が、実行された少なくとも１つのタスクに関連付けられ、照明を点滅又はパルス発光させる別の照明システム出力が、実行されていない少なくとも１つのタスクに関連付けられる。
【００６５】
タスクの定義を生成又は取得する動作が、図３のステップ２０１により示される。
【００６６】
タスクを定義する動作は、照明システム制御装置により実行される学習又は事前監視処理の一部であるとみなされ得る。
【００６７】
従って、照明システム制御装置とタスク状態判定器とは、検出器データ及び／又は他のデータとタスク定義とを受信するように構成され得る。このデータは、いくつかの実施形態において、状態判定器によってより簡単に処理されるデータを生成するように調整又は処理され得る。
【００６８】
検出器データ及び／又は他のデータを受信する動作が、図３のステップ２０３により示される。
【００６９】
照明システム制御装置とタスク状態判定器とは、検出器データ及び／又は他のデータに基づいて、タスク状態又はタスクのリストに関係した状態を判定するようにさらに構成され得る。
【００７０】
例えば、タスクが履行されたことを示す既定の検出器データに、受信された検出器データが一致するときに、タスクが履行されたと判定されるように、判定は、検出器データ及び／又は他のデータを、記憶された、又はタスクに関係した所定の検出器データ／他のデータと比較することにより実行され得る。
【００７１】
検出器データ及び／又は他のデータに基づいてタスクの状態を判定する動作が、図３のステップ２０５により示される。
【００７２】
タスクの状態を判定したら、制御照明システムは、判定された状態に基づいて照明システム信号出力を制御するように構成され得る。例えば、照明システム制御装置と照明システム信号生成器１０５とは、生成されるべき所望の照明効果に対する照明システム入力を受信したことに基づいて、「成功」照明システム制御信号と「エラー」照明システム制御信号とを生成するように構成され得る。照明システム信号制御装置１０７は、タスクが履行されたか否かを判定して、履行されたタスクに対して「成功」照明システム制御信号を出力し、履行されていない、又は部分的にのみ履行されたタスクに対して「エラー」照明システム制御信号を出力するように構成され得る。
【００７３】
状態に基づいて照明システム信号出力を制御する動作が、図３のステップ２０７により示される。
【００７４】
いくつかの実施形態において、次に、別の検出器データ及び／又は他のデータが受信され、その結果タスクが連続的に監視されるように、動作がループバックし得る。
【００７５】
動作ステップ２０３、２０５、及び２０７、言い換えると、検出器データ及び／又は他のデータを受信する動作と、検出器データ／他のデータに基づいてタスクの状態を判定する動作と、状態に基づいて照明システム信号出力を制御する動作とは、図３の符号２５３に示されるアクション又は監視動作において、合わせてグループ化され得る。
【００７６】
図２及び図３に関連して示される例において、照明システム信号入力に基づいて、少なくとも１つの照明制御信号が生成される。例えば、１日の終わりにオフィスを閉鎖するときに照明をオフに切り替えようとするユーザーは、「成功」照明制御信号としての「オフ」照明制御信号と、「エラー」照明制御信号としての「点滅」照明制御信号とを照明システム信号生成器に生成させる「照明トグルスイッチ」（又は、タイマー又は特定のオフィス閉鎖時刻に受信される時刻信号）を有効化し得る。これらの制御信号は、照明システム信号制御装置に伝達され、「オフィス閉鎖」手順のタスクの状態の判定に基づいて、照明システムに伝達される。
【００７７】
「照明トグルスイッチ」（又は、タイマー）の有効化は、さらに、タスク状態判定器に伝達されて監視される「オフィス閉鎖」タスクをタスク定義器に定義させ得る。例えば、「オフィス閉鎖」タスクは、「窓閉鎖」タスクと「セキュリティー警報器稼働」タスクとにより定義され得る。
【００７８】
いくつかの実施形態において、照明システム信号生成器の機能は、タスク定義器内に組み込まれ得ることが理解される。例えば、タスク定義器は、照明スイッチ、照明制御入力、ソフトウェア定義照明スイッチ又は制御入力、又は、少なくとも１つのタスクを示す他の入力などの入力と、タスクの状態に基づく、関係する照明システム制御信号とを受信する。次に、タスク定義器は入力に基づいて、監視されることを要求されたタスクと、さらには、タスクの取り得る状態に関係した照明システム制御信号とを定義し得る。タスク状態判定器は、次に、各タスクの現在の状態を判定して、照明システム制御信号を受信する照明システム信号制御装置を制御するための出力を生成し得る。
【００７９】
図４は、図３に示される照明システム制御方法のための、タスク定義を生成する例示的な方法のフロー図をさらに詳細に示す。
【００８０】
いくつかの実施形態において、照明システム制御装置は、定義／記録タスクインジケータを受信又は判定し得る。定義／記録タスクインジケータは、いくつかの実施形態において、タスク定義器に伝達されたタスク入力、及び、さらにはタスクの状態を少なくとも１つの特定の照明効果に関連付ける情報の形態であり得る。
【００８１】
タスクを定義（又は、タスクを記録）する動作が、図４のステップ３０１により示される。
【００８２】
いくつかの実施形態において、タスクに関係した検出器データが受信される。いくつかの実施形態において、この検出器データは「シミュレーションデータ」である。例えば、前述の「窓閉鎖」タスクにおいて、検出器データは、シミュレーションされた窓の磁気的接近検出器データ又はセキュリティーシステムからの予想される出力であり得る。いくつかの実施形態において、検出器データは、タスクが実行されたときの実際の検出器データである。例えば、誰かがオフィス内の窓を閉めているときの、窓検出器又はセキュリティーシステムからの出力である。
【００８３】
（タスクが実行されているときに）検出器データを受信する動作が、図４のステップ３０３により示される。
【００８４】
いくつかの実施形態において、この「リアルタイム」検出器データは、タスクに検出器データを関連付けるように構成された学習モジュール１０９に伝達され得る。このような実施形態において、タスクは、タスクインジケータと検出器データとの間の関連付けにより定義される。従って、同じインジケータをもつタスク入力が再度受信されたときに、タスク定義が取得され得、受信されたすべての検出器データが定義検出器データと比較され、実行されているタスクの状態を判定する。
【００８５】
図５は、いくつかの実施形態による、図３に示される照明システム制御方法のフロー図をさらに詳細に示す。
【００８６】
照明システム制御装置は、いくつかの実施形態において、照明システム信号入力を受信し得る。照明システム信号入力は、本明細書で説明されるように、照明スイッチ、照明制御入力、ソフトウェア定義照明スイッチ若しくは制御入力、又は少なくとも１つのタスクを示す他の入力（及び、タスクの状態に基づく、関係する照明システム制御信号）などの入力であり得る。照明システム信号入力は、監視されるべきタスク又はタスクの手順をさらに識別し得る。
【００８７】
照明システム入力を受信する動作が、図５のステップ４０１により示される。
【００８８】
照明システム制御装置及び、例えば、タスク定義器は、次に、照明システム信号入力により識別されたタスクに関係した定義を取得し得る。照明システム制御装置及び、例えば、照明システム信号生成器は、次に、受信された照明システム入力に基づいて、何らかの照明システム制御信号を生成し得る。
【００８９】
例えば、１日の終わりにオフィスを閉鎖するときに照明をオフに切り替えようとするユーザーは、「オフィス閉鎖」手順のタスクに関係した定義をタスク定義器に取得させる「照明トグルスイッチ」（又は、タイマー又は特定のオフィス閉鎖時刻に受信される時刻信号）を有効化し得る。これらの定義は、「窓閉鎖」及び「セキュリティー警報器稼働」タスクと関連付けられ、さらに、（「窓閉鎖」タスクの場合は）窓検出器信号に基づいて、及び、（「セキュリティー警報器稼働」タスクの場合は）セキュリティー警報システム信号に基づいて定義され得る。
【００９０】
さらに、入力に応答して、照明システム信号生成器は、「成功」照明制御信号としての「オフ」照明制御信号と、「エラー」照明制御信号としての「点滅」照明制御信号とを生成し得る。これらの制御信号は、照明システム信号制御装置に伝達され、「オフィス閉鎖」手順のタスクの状態の判定に基づいて、照明システムに伝達される。
【００９１】
タスク定義を取得する動作と、入力に基づいて、照明システム制御信号を生成する動作とが、図５のステップ４０３により示される。
【００９２】
次に、タスクの状態が確認され得る。これは、例えば、タスク定義を受信された検出器データ／他のデータと比較するタスク状態判定器の出力からのものであり得る。従って、例えば、すべての窓が閉鎖されたことを窓検出器が示すとき、「窓閉鎖」タスクの状態は、履行と判定され得る。同様に、セキュリティー警報は、警報が稼働されたことの提示を提供して、「警報稼働」タスクの状態が履行と判定されることを可能にし得る。
【００９３】
タスクの状態を確認する動作、言い換えると、現在の状態がＯＫであるか否かを判定する動作が、図５のステップ４０５により示される。
【００９４】
状態がＯＫではない場合、言い換えると、タスクが履行されていないこと、又は不正確な順序で履行されたことを現在の状態が示す場合、動作はそれ自身にループバックし得る。例えば、動作は、タスク定義を取得すること、照明システム制御信号を生成すること、及び別の状態確認動作を実行することにループバックし得る。
【００９５】
いくつかの実施形態において、タスクの状態がＯＫではないとき、照明システム制御装置、例えば、照明システム信号制御装置は、ＯＫではない状態に基づいて、定義された照明効果を出力するように構成され得る。例えば、「点滅」照明制御信号が、「エラー」照明制御信号として出力され得る。照明効果は、いくつかの実施形態において、照明システムのユーザーが「エラー」又は未履行タスクを識別する手助けとなり得ることが理解される。例えば、いくつかの実施形態において、照明システム制御装置は、不足しているタスク又は順序通りではないタスクを表すように定義された回数点滅する、照明効果の色を定義された色に変更する、又は、照明効果位置照明を有効化する照明効果を生成及び出力するように構成される。従って、例えば「オフィス閉鎖」の例では、開いた、又は未施錠の窓に最も近い照明設備が、まだ開いているいずれかの窓を示すように点滅され得る。
【００９６】
状態がＯＫである場合、照明システム制御装置は、生成された照明システム制御信号を出力するように構成され得る。従って、照明システム信号制御装置は、「オフィス閉鎖」タスクが履行されたとき、「オフ」照明制御信号を出力し得る。
【００９７】
ＯＫである状態に基づいて照明システム制御信号を出力する動作が、図５のステップ４０７により示される。
【００９８】
しかし、前述の例はオフィスタスクに関連する。本明細書で説明される実施形態は、「家庭」又は「住居」用途に適用され得ることが理解される。例えば、実施形態は、子供のための「就寝時」タスクを監視するように適用され得る。このような例において、「アンディー」が就寝の準備をしている。アンディーは、就寝前のお話しを読む前に、タスクをいくつか履行しなければならないとわかっている。アンディーは歯磨き粉がおいしいという理由で好きな歯みがきから始める。次に、アンディーは手と顔を洗ってから、寝室に入ってお話しの準備をすませる。照明スイッチに手を伸ばして切り替えようとするが、何も起こらない。穏やかに明滅するだけである。おや、何かやり忘れただろうか。アンディーは少し考えて、気がつく。今日着た服を洗濯かごに入れないといけなかったのだ。この作業を終えてから、アンディーが改めてスイッチをオンに切り替えると、きれいな夜用の照明が点灯する。寝る時間までの何分か、アンディーはこの照明の下で本を読む。このような実施形態において、タスクは、「歯磨き」、「寝る前の手洗いと洗顔」及び「部屋を片付けて、服をかごに入れる」と定義され得る。
【００９９】
別の例は、介護施設であり得る。例えば、ジェニーは２週間後に８５歳の誕生パーティーを控え、週末の夕食で家族に会うのを楽しみにしている。ジェニーは一人暮らしを満喫しているが、ここ数年は、もの忘れが少し増えてきた。家族はジェニーを助けるために、便利なリマインダーシステムを設置した。例えば、昼食後、居間にある２つの照明が青く点灯して、ジェニーが履行する必要のあるタスクがあることを知らせるように構成される。次に、ジェニーは、それに誘発されて、やる必要のある事を思い出そうとする。ジェニーはリストを確認して、例えば、昼食後の薬を飲んでいないことに気がつく。薬を飲んだら、照明が元の設定に戻る。このような例において、タスクを履行するまで、どのような制御入力も照明を青から変えない。
【０１００】
さらに、このような実施形態は、小売業環境において実施され得る。例えば、サイモンは小さな店を経営しており、ほとんどの時間にわたってサイモンか店員だけが店舗を管理している。現在、サイモンには幼い家族がいるため、常に店舗にいるよりも、家族と長く過ごしたいと考えているので、店員に１日の終わりの店じまいの仕方を教えて任せている。これは特定の組のタスクを履行することを必要とするが、まれに、いくつかのタスクが履行されていないことにサイモンが気付く場合がある。これに対処するために、照明リマインダーシステムが有効化される。すると、１日の終わりに店員が帰ろうとして、主照明をオフに切り替えようとしたとき、スイッチを動かしたときに何も起こらないか、又は、照明がある色を点滅して白色に戻るだけであれば、店員は何かをやり忘れていることに気付く。電話で照明手順タスクリストを確認すると、やり残したことがわかる。それを処理すれば、照明がオフに切り替わり得る。
【０１０１】
照明を使用することの利点は、非常に視認しやすいことである。脳は、事象（すなわち、照明レベルの変化）が発生することを予測し、この事象が発生しなければパターンの顕著な崩壊となり、それにより人が立ち止まって考えるため、スイッチが指令に反応したか否かは容易に気付く。
【０１０２】
本明細書で説明される例は、特定の位置に関係した照明システムに結合した照明制御システムを特徴とする。しかし、いくつかの実施形態において、照明システムは乗り物内のものであり得る。従って、例えば、配送運転者は、配送運転者がいる位置に対応して、乗り物の後部に載せたすべての小包が配送又は処理された場合にのみ、オフに切り替えられ得る特徴的な照明システムを配送運転者の乗り物内に含み得るので、配送運転者が何かを配送し忘れたまま発車することを防止する。このような実施形態において、タスクリストは、乗り物及び乗り物の位置の内容に基づくタスク（配送物）の優先順位付けを使用して定義されたものであり得る。
【０１０３】
実施形態の例示的なあり得る実現例は、次のとおりであり得る。
−  家庭において、タスクの組を履行することに関して、子供を訓練しやすくする、又は高齢者を支援しやすくするため色相システムを使用すること。
−  仕事環境（小売業など）において、職員が建物を離れる前に特定のタスクを履行するように職員に通知することに役立つこと。
−  安全を重視すべき環境において、空港の地上勤務員などが、すべての主要確認項目が実行されたことを確認すること。これは、次に、それらの確認場所から離れて位置し得る他人、例えば、航空機内の操縦士のための視覚的な手がかりを生成する。
−  モータースポーツにおいて、車をレースに復帰させる前にすべてのタスクが履行されたことをピットに知らせること。
【０１０４】
本明細書で説明されるように、いくつかの実施形態において、タスク状態判定器の出力が分析され得る。図６を参照して、いくつかの実施形態による、照明システム制御方法のためのタスク分析方法のフロー図が示される。
【０１０５】
実行されるタスクに関係した状態が、タスク分析装置１１１により受信され得る。
【０１０６】
状態出力を受信する動作が、図６のステップ５０１により示される。
【０１０７】
次に、挙動のパターンが存在するか否か、又は、タスク又はタスクの手順が実行された最後の時点から挙動のパターンが変更されたか否かを判定するために、状態出力が分析され得る。これは、例えば、１つ又は複数のタスクが履行されたか否か、タスクの手順内におけるタスクの履行の順序、１つ又は複数のタスクの履行の速度、１つ又は複数のタスクの履行の正確さ、タスクの手順が不足しているか、又は定義のパラメータに従って実行されていないか否かを示し得る。
【０１０８】
状態出力を分析して挙動のパターン又は挙動のパターンの変化を判定する動作が、図６のステップ５０３により示される。
【０１０９】
さらに、いくつかの実施形態において、挙動のパターン又は挙動のパターンの変更の判定は、挙動又は挙動の変更の報告の生成をもたらし得る。
【０１１０】
例えば、タスクが今や正確に又は効果的に実行されたと判定されたとき、タスク分析装置１１１は、メッセージ（例えば、ショートメッセージサービス（ＳＭＳ）又は自動電子メール）を生成して、ユーザーの、又は指定された管理者モバイル機器にメッセージを送信するように構成され得る。
【０１１１】
同様に、タスク分析装置１１１は、タスクの手順内のタスクが正確に実行されているか否かを判定して、報告を生成するように構成され得る。報告は、例えば、後の時点で取得され得る実行されたタスクのログとして、例えば、記憶され得る。タスクが履行されたか否か、及び、タスクの実行が許容可能であるか否か判定するために、報告が管理者又は他の監督者にさらに伝達又は転送され得る。
【０１１２】
さらに、タスク分析装置１１１は、タスク状態のリアルタイム分析（例えば、リアルタイムでＳＭＳ又は電子メールメッセージを生成して、タスクが適切に又は不適正に実行されたときに別の提示を提供すること）であり得る。いくつかの実施形態において、タスク分析装置１１１は、過去の実施を分析すること、及び、タスク最適化又は評価目的（タスク挙動報告の生成など）に適したデータ分析ツールであり得る。
【０１１３】
挙動の報告を生成する動作が、図６のステップ５０５により示される。
【０１１４】
従って、タスクの実行の既知の／記録されたパターンに基づいて、照明システム制御装置は、実行のパターンを最適化する提案を提供することが可能であり得る。これは、例えば、時間が重要となる時間及び動き調査の一部として実行され得る。さらに、本明細書で説明されるように、報告は、タスクの実行のパターンからのずれを特定し得る。これは、例えば、ユーザーの忘れやすさ又は健康状態の悪化を特定し得るので、健康関係の場合に有用であり得る。
【０１１５】
図７は、中断条件動作が照明システム制御信号を生成する動作とタスクの状態を確認する動作との間に挿入されるという点で、図５を参照して示される実施形態とは異なる別の照明システム制御方法のフロー図を示す。
【０１１６】
中断条件はタスクの状態の確認のループを中断するように構成される。中断条件は、例えば、時間満了、オーバーライド、又は他の適切な干渉であり得る。
【０１１７】
中断条件動作は、動作４０３と動作４０５との間における動作６０１の導入により図７に示され、４０５のループは、図５に示されるような動作４０５の開始ではなく、動作６０１に戻る。
【０１１８】
いくつかの実施形態において、中断条件動作は、ユーザー識別情報を必要とし、それによりすべての機能の完全な固定を防ぐオーバーライド機能であり得る。ユーザーが他の理由により照明を必要とする場合が存在し、すべてのタスクが履行されるまで永久に固定を維持することは危険であり得るので、安全のためにこのオーバーライド機能が含まれ得る。いくつかの実施形態において、ユーザーがオーバーライドを承認して、タスクリストが履行されていないことを他人に知らせるため、（例えば、本明細書で説明される適切な報告の生成により）タスクの未履行又はメッセージがその他人に送信されるように、オーバーライド機能は、明確なユーザー対話要素を含み得る。
【０１１９】
図面、開示、及び付属の請求項の考察に基づいて、請求項に記載された発明を実施する当業者により、開示される実施形態に対する他の変形例が理解及び実現され得る。請求項において、「備える（ｃｏｍｐｒｉｓｉｎｇ）」という語は、他の構成要素もステップも排除せず、不定冠詞「１つ（ａ）」又は「１つ（ａｎ）」は、複数を排除しない。単一のプロセッサ又は他の装置が、請求項に記載されるいくつかの項目の機能を満たし得る。単に、相互に異なる従属請求項に特定の測定値が記載されているという事実は、利点を得るためにこれらの測定値の組合せが使用され得ないということを示すわけではない。コンピュータプログラムは、他のハードウェアと一体的に又は他のハードウェアの一部として供給される、光記憶媒体又は固体媒体などの適切な媒体に記憶及び／又は分散され得るが、インターネット又は他の有線又は無線電気通信システムを介するなどにより、他の形態でも分散され得る。請求項における参照符号はいずれも、範囲を限定するように解釈されてはならない。
【図１】
0006746597.tif 000002
【図２】
0006746597.tif 000003
【図３】
0006746597.tif 000004
【図４】
0006746597.tif 000005
【図５】
0006746597.tif 000006
【図６】
0006746597.tif 000007
【図７】
0006746597.tif 000008